(57)【要約】【課題】簡易な操作によりユーザが所望する情報を報知することのできる携帯端末を提供する。【解決手段】携帯端末は、たたく動作を検知する検知部と、複数のたたく動作間隔として基準となるたたく動作のパターンを予め記憶している記憶部と、前記検知部で検知されたたたく動作のパターンと、前記記憶部で記憶しているたたく動作のパターンとを照合する照合部と、前記照合部の照合結果により前記検知されたたたく動作のパターンと前記記憶部で記憶しているたたく動作のパターンとの一致度合が所定以上である場合に、内部に保持している情報をユーザに通知する報知処理部とを備える。【選択図】図２
2014048701.tif 000002
【特許請求の範囲】
【請求項１】
たたく動作を検知する検知部と、
複数のたたく動作間隔として基準となるたたく動作パターンである基準パターンを予め記憶している記憶部と、
前記検知部で検知されたたたく動作のパターンと、前記記憶部で記憶している基準パターンとを照合する照合部と、
前記照合部の照合結果により前記検知されたたたく動作のパターンと前記記憶部で記憶している基準パターンとの一致度合が所定以上である場合に、内部に保持している情報をユーザに通知する報知処理部とを備える
ことを特徴とする携帯端末。
【請求項２】
前記照合部は、
前記検知部で所定以上の強度のたたく動作が検知された後、前記照合を開始する
ことを特徴とする請求項１に記載の携帯端末。
【請求項３】
前記記憶部で記憶している基準パターンは、複数のたたく動作間隔の比をとった間隔比情報であり、
前記照合部は、前記間隔比情報と、前記検知部で検知されたたたく動作のパターンにおけるたたく動作の間隔比とを照合する
ことを特徴とする請求項１に記載の携帯端末。
【請求項４】
前記照合部は、
前記照合に先立って、前記検知部で検知された前記たたく動作の間隔の合計時間である第１時間長が前記間隔比情報で定まる全ての間隔についての合計時間である第２時間長と同一となるよう、前記検知部で検知された前記たたく動作の間隔それぞれの時間長を圧縮又は伸長する
ことを特徴とする請求項３に記載の携帯端末。
【請求項５】
携帯端末本体の主表面にディスプレイを有しており、
前記検知部は、前記主表面の反対面である裏面におけるたたく動作を検知する
ことを特徴とする請求項１に記載の携帯端末。
【請求項６】
前記検知部は、加速度センサであり、
当該加速度センサは、前記ディスプレイに対する垂直方向の振動を、前記たたく動作として検知する
ことを特徴とする請求項５に記載の携帯端末。
【請求項７】
前記内部に保持している情報とは、現在時刻を時分で表した時刻情報であり、
前記報知処理部は、前記時刻情報についての報知を行う
ことを特徴とする請求項１に記載の携帯端末。
【請求項８】
前記時刻情報で表される時分のうち時についての報知には、第１報知パターンと第２報知パターンとがあり、
前記報知処理部は、前記時刻情報で表される時が偶数時である場合には前記第１報知パターンで、奇数時である場合には前記第２報知パターンで、それぞれ報知する
ことを特徴とする請求項７に記載の携帯端末。
【請求項９】
前記内部に保持している情報とは、現在時刻の時分のうちの分を表した時刻情報であり、
前記報知処理部は、前記時刻情報の報知を行う
ことを特徴とする請求項１に記載の携帯端末。
【請求項１０】
たたく動作を検知する検知部と、
内部に保持している保持情報をユーザに通知するか否かの判断基準となる、たたく動作数を予め記憶している記憶部と、
前記検知部で検知されたたたく動作の数と、前記記憶部で記憶されているたたく動作数とを照合する照合部と、
前記照合部の照合結果により前記検知されたたたく動作の数と前記記憶部で記憶しているたたく動作数とが一致する場合に、前記保持情報をユーザに通知する報知処理部とを備える
ことを特徴とする携帯端末。
【請求項１１】
複数のたたく動作間隔として基準となるたたく動作パターンを基準パターンとして予め記憶している記憶部を備える携帯電話機で用いられる報知方法であって、
たたく動作を検知する検知ステップと、
前記検知ステップで検知されたたたく動作のパターンと、前記記憶部で記憶している基準パターンとを照合する照合ステップと、
前記照合ステップの照合結果により前記検知されたたたく動作のパターンと前記記憶部で記憶している基準パターンとの一致度合が所定以上である場合に、内部に保持している情報をユーザに通知する報知処理ステップとを含む
ことを特徴とする報知方法。
【発明の詳細な説明】
【技術分野】
【０００１】
本発明は、携帯端末において、現在時刻などの情報をユーザに対して報知する技術に関する。
【背景技術】
【０００２】
従来、携帯電話機などのような携帯端末は、現在時刻や未読メールの数などユーザが所望する情報を画面に表示することで、ユーザは所望する情報の内容を確認することができる。
ユーザがポケットなどに携帯端末を収納している場合、ユーザが所望する情報を確認するためには、ポケットなどから携帯端末を取り出す必要があり、ユーザは不便に感じることがある。
【０００３】
そこで、特許文献１では、特定のボタンを押下することで、音声又は振動により時刻を通知する技術が開示されている。
この開示された技術により、ユーザは画面を目視することなく所望する情報の内容を確認することができる。
【先行技術文献】
【特許文献】
【０００４】
【特許文献１】特開２００２−２６１８８５号公報
【発明の概要】
【発明が解決しようとする課題】
【０００５】
しかしながら、特許文献１で開示された技術を用いた場合、ユーザはポケットなどに携帯端末が収納されたまま所望する情報の確認を行おうとするとポケットなどの中で携帯端末に触れつつ、特定のボタンの位置を探す必要がある。
そのため、ユーザによっては、ポケットなどの中で特定のボタンの位置をいちいち探すのは面倒だと感じることもある。
【０００６】
そこで、本発明は、簡易な操作によりユーザに対して情報を報知することのできる携帯端末及び報知方法を提供することを目的とする。
【課題を解決するための手段】
【０００７】
上記目的を達成するために、本発明は、携帯端末であって、たたく動作を検知する検知部と、複数のたたく動作間隔として基準となるたたく動作パターンである基準パターンを予め記憶している記憶部と、前記検知部で検知されたたたく動作のパターンと、前記記憶部で記憶している基準パターンとを照合する照合部と、前記照合部の照合結果により前記検知されたたたく動作のパターンと前記記憶部で記憶している基準パターンとの一致度合が所定以上である場合に、内部に保持している情報をユーザに通知する報知処理部とを備えることを特徴とする。
【発明の効果】
【０００８】
上記構成によると、携帯端末は、簡易な操作によりユーザに対して情報を報知することができる。
【図面の簡単な説明】
【０００９】
【図１】携帯電話機（携帯端末）１の外観を示す図である。
【図２】携帯電話機１の構成を示すブロック図である。
【図３】（ａ）は偶数時、及び奇数時それぞれを表す振動パターンを、（ｂ）は０〜９それぞれを表す振動パターンを、（ｃ）は時刻を上記（ａ）、（ｂ）で示される振動パターンを用いた具体例を示す図である。
【図４】携帯電話機１における報知に係る処理を示す流れ図である。
【図５】携帯電話機１における報知に係る処理についてのタイムチャートである。
【図６】携帯電話機１におけるたたく動作と揺動とを区別する処理についてのタイムチャートである。
【図７】携帯電話機１におけるたたく動作と揺動とを区別する処理についてのタイムチャートである。
【発明を実施するための形態】
【００１０】
１．第１の実施の形態
本発明に係る第１の実施の形態としての携帯電話機（端末装置）１について説明する。
１．１  概要
本発明の端末装置は、例えば、携帯電話機１に適用され、その外観について図１を参照しつつ説明する。
【００１１】
携帯電話機（端末装置）１は、バイブレータにより現在時刻をユーザに報知する機能を備えた端末である。
携帯電話機１には、図１に示すように、タッチパネル機能を有した液晶ディスプレイ（以下、ＬＣＤ（Ｌｉｑｕｉｄ  Ｃｒｙｓｔａｌ  Ｄｉｓｐｌａｙ））などで構成された表示部４と、キー操作部５と、スピーカ部６と、マイクロフォン７とが配置されている。
【００１２】
表示部４は、後述するタッチパネルを構成し、画像を表示するとともに、タッチ入力を受け付ける。
キー操作部５は、筐体の側面に配置された１つ以上のキーを含んで構成され、キー入力を受け付ける。
スピーカ部６は、外部に対して音を発する。
【００１３】
マイクロフォン７は、外部からの音を取得する。
携帯電話機１は、スリープ状態である場合に表示部４の反対面（以下、裏面という。）に対してユーザからの、例えば指先などによるたたく動作を検知すると、検知したたたく動作のリズムが予め記憶しているリズムと一定の割合以上一致する場合に、バイブレータにより現在時刻を報知する。ここで、スリープ状態であるとは、省電力の待機電源モードであることをいう。スリープ状態では、例えば表示部４で何ら表示がされていない状態となっている。
【００１４】
以下、携帯電話機１の報知機能に係る機能構成について説明する。
１．２  構成
携帯電話機１は、図２に示すように、センサ部１０１、パターン記憶部１０２、振動パターン記憶部１０３、照合処理部１０４、制御部１０５、バイブレータ１０６及び電源供給部１０７から構成されている。
【００１５】
なお、携帯電話機１は、図２では報知機能に係る構成要素だけを示しているが、その他表示部４、キー操作部５や通信機能に係る構成要素など、携帯電話機としての機能を備えている。
以下、報知機能について説明する。
（１）センサ部１０１
センサ部１０１は、ユーザによるたたく動作を検知する機能を有するものであり、具体的には、加速度センサである。センサ部１０１は、スリープ状態であっても、後述する電源供給部１０７からの動作に必要な電力の供給を受けている。
【００１６】
ユーザにより、図１に示すＺ軸方向に対するたたく動作、つまり携帯電話機１の裏面に対してたたく動作がなされると、携帯電話機１に対するＺ軸方向の上下運動（振動）は、Ｘ軸方向及びＹ軸方向のそれよりも大きい。加速度センサは、各軸方向における振動を検知する。
（２）パターン記憶部１０２
パターン記憶部１０２は、報知の可否の基準となるたたく動作のパターン（以下、基準パターンという。）を予め記憶している。
【００１７】
具体的には、パターン記憶部１０２は、基準パターンをリズムのパターンとする場合、このリズムに応じたデータを記憶している。リズムに応じたデータとは、例えばたたく動作の間隔比（“２：２：１：１：１：１”）である。
（３）振動パターン記憶部１０３
振動パターン記憶部１０３は、報知する際に用いる振動のパターンを記憶している。
【００１８】
具体的には、振動パターン記憶部１０３は、偶数時間（０、２、４、６、８、・・・、２２時）を報知する振動パターン、奇数時間（１、３、５、・・・、２３時）を報知する振動パターン、及び分を示すために０〜９に対応する振動パターンを記憶している。
図３（ａ）は、偶数時間及び奇数時間それぞれの振動パターンを示し、図３（ｂ）は、０〜９に対応する振動パターンを示している。分を示す振動パターンは、０〜９の振動パターンの組み合わせることで対応できる。例えば、０５分の振動パターンは、値“０”の振動パターンの後続に、値“５”の振動パターンを組み合わせにより実現でき、２１分の振動パターンは、値“２”の振動パターンの後続に、値“１”の振動パターンを組み合わせにより実現できる。
【００１９】
図３（ｃ）は、時刻を表現する振動パターンの具体例を示すものである。例えば、１５時４９分の振動パターンＰ１００は、１５時を示す振動パターンＰ１０１と、分を示す振動パターンＰ１０２から構成される。１５時は奇数時であるので振動パターンＰ１０１は、図３（ａ）に示す奇数時の振動パターンとなる。分の振動パターンＰ１０２は、十の位を表す振動パターンＰ１０３と、一の位を示す振動パターンＰ１０４とから構成される。ここでは、４９分であるので、振動パターンＰ１０３は図３（ｂ）に示す値“４”の振動パターンとなり、振動パターンＰ１０４は、図３（ｂ）に示す値“９”の振動パターンとなる。また、１６時１２分の振動パターンＰ２００については、時間を示す振動パターンＰ２０１は図３（ａ）に示す偶数時の振動パターンを示し、分を示す振動パターンを示すＰ２０２を構成する振動パターンＰ２０３及びＰ２０４それぞれは、図３（ｂ）に示す値“１”及び“２”の振動パターンとなる。
【００２０】
（４）照合処理部１０４
照合処理部１０４は、低い電力で動作する低電力プロセッサで構成され、センサ部１０１で検出されたたたく動作のパターンと基準パターンとの照合を行うものである。照合処理部１０４は、後述する電源供給部１０７から動作に必要な電力の供給を常に受けている。
【００２１】
照合処理部１０４は、図２に示すように、フィルタ部１１１と照合部１１２とを有している。
（４−１）フィルタ部１１１
フィルタ部１１１は、センサ部１０１で検出されたたたく動作について、Ｚ軸方向、つまり表示部４を有する主表面に対する垂直方向の振動成分のみを照合部１１２へ出力する。
【００２２】
（４−２）照合部１１２
照合部１１２は、たたく動作のパターンの照合に係る処理を行うものである。
照合部１１２は、スリープ状態である場合に、センサ部１０１で最初に検知された裏面からのたたく動作のＺ軸方向の成分が所定値以上である場合、つまりＺ軸方向に対して一定の強さ(閾値Ｚａ)以上の振動が検出された場合には、スリープ状態を解除して制御部１０５へ電源供給を行う旨の指示（以下、電源供給指示という。）を電源供給部１０７へ出力する。なお、裏面からのたたく動作である場合には、検知された振動の最初の振れはＺ軸成分の正方向に対してのものとなる。そこで、照合部１１２は、検知された振動の最初の振れがＺ軸成分の正方向のものとなっているか否かを判断することで、裏面からのたたく動作であるか否かを判断することができる。
【００２３】
照合部１１２は、その後に受け付けた複数のたたく動作のＺ軸成分で示される振動の間隔（たたく動作のパターン）と、パターン記憶部１０２で記憶されている基準パターンとの照合を行う。具体的には、照合部１１２は、センサ部１０１で検知された複数のたたく動作のパターンの間隔比を算出し、基準パターン（間隔比が２：２：１：１：１：１）と比較する。照合部１１２は、一致度合が所定以上である場合には、検出されたたたく動作のパターンと基準パターンとが一致すると判別する。例えば、照合部１１２は、以下のようにして一致度合を検証する。照合部１１２は、間隔比に基づいて、基準パターンの全体長を基準とする各間隔の割合を算出する。また、照合部１１２は、検知された複数のたたく動作のパターンの全体長を基準とし、検知された複数のたたく動作のパターンの間隔比から各間隔の割合を算出する。基準パターンと検知されたたたく動作のパターンとにおけるｎ番目のたたく動作の間隔の組について、照合部１１２は、検知されたたたく動作のパターンの間隔の割合の値を基準パターンの間隔の割合の値で除算する。除算により得られた各値のうち０．８以上１．２以下の範囲に属する値の個数が、基準パターンにおける間隔の個数に対して８０％以上であれば、照合部１１２は、一致度合が所定以上であると判断する。ここで、ｍは、１以上であり、基準パターンにおける間隔数の個数以下の整数である。
【００２４】
照合部１１２は、一致すると判別した場合には、現在時刻の報知を行う旨の指示（以下、報知指示という。）を制御部１０５へ出力する。一致しないと判断した場合、又は最初にたたく動作を検知してから、つまりセンサ部１０１から最初のたたく動作を受け付けてから所定時間（例えば、５秒）以内に次のたたく動作を受け付けなった場合には、照合部１１２は、スリープ状態に移行する旨の移行指示を電源供給部１０７へ出力する。
【００２５】
また、照合部１１２は、たたく動作と、その他の揺動（例えば図７）とを区別するため、減衰率を算出する。すなわち、図６に示されるように、照合部１１２は、閾値Ｚａ以上のたたく動作を検知した後、次の最初のプラス方向のピークが、Ｚａ×０．４以下であり、かつ、減衰時間ΔＴ＝０．３秒の際のＺ方向振動の絶対値が、Ｚａ×０．１以下である、という減衰率の条件を満たした場合に、検知した動作をたたく動作であると検出する。
【００２６】
（５）制御部１０５
制御部１０５は、照合処理部１０４で用いられる電力よりも高い電力を必要とする高速アプリケーションプロセッサで構成され、バイブレータ１０６による現在時刻の報知に係る処理、及び携帯電話機１に係る他の処理を行うものである。
ここでは、現在時刻の報知に係る処理機能について説明する。
【００２７】
制御部１０５は、図２に示すように、照合制御部１２１と報知部１２２とを有している。
（５−１）照合制御部１２１
照合制御部１２１は、スリープ状態が解除されている間、照合部１１２による照合を中止するよう制御するものである。
【００２８】
具体的には、制御部１０５に電力が供給されている間は、照合制御部１２１は、照合部１１２に対して、照合を中止する旨の指示（以下、照合中止指示）を継続的に出力する。これにより、照合部１１２は、照合中止指示を受け付けている間は、センサ部１０１によりたたく動作が検知されても照合に係る処理は行わない。
（５−２）報知部１２２
報知部１２２は、照合部１１２から報知指示を受け取ると、制御部１０５において時刻を計時する機能要素（図示せず）又は他のＣＰＵ（Ｃｅｎｔｒａｌ  Ｐｒｏｃｅｓｓｉｎｇ  Ｕｎｉｔ）等（図示せず）から現在時刻を取得する。報知部１２２は、振動パターン記憶部１０３で記憶されている各振動パターンから、取得した現在時刻に応じた報知に係る振動パターン（以下、報知振動パターンという。）を生成し、バイブレータ１０６へ出力する。
【００２９】
（６）バイブレータ１０６
バイブレータ１０６は、報知部１２２から受け取った報知振動パターンで示される振動の長短に基づいて振動し、ユーザへ現在時刻を報知する。
（７）電源供給部１０７
電源供給部１０７は、各機能要素に電源を供給するものであり、スリープ状態である場合には、センサ部１０１及び照合処理部１０４に対して電源を供給し、スリープ状態が解除された状態（非スリープ状態）である場合には、センサ部１０１、照合処理部１０４、制御部１０５及びバイブレータ１０６に対して電源を供給する。
【００３０】
また、電源供給部１０７は、スリープ状態において、照合処理部１０４から電源供給指示を受け付けると、スリープ状態を解除して、センサ部１０１、照合処理部１０４、制御部１０５及びバイブレータ１０６に対して電源を供給する。さらに、電源供給部１０７は、照合処理部１０４から移行指示を受け付けると、非スリープ状態からスリープ状態と状態を変更し、制御部１０５及びバイブレータ１０６に対する電源供給を中止し、センサ部１０１及び照合処理部１０４に対してのみ電源を供給する。
【００３１】
１．３  動作
ここでは、携帯電話機１における報知機能に係る動作について説明する。
図４は、携帯電話機１の報知機能の動作を示す流れ図である。
照合部１１２は、スリープ状態時において、ユーザから報知処理開始の指示を受け付けたか否かを判別する（ステップＳ５）。具体的には、照合部１１２は、スリープ状態である場合に、センサ部１０１で最初に検出されたたたく動作が裏面からのものであり、且つＺ軸方向に対する振動の強度が一定の強さ以上であるか否を判断する。
【００３２】
報知処理開始の指示を受け付けた、つまり最初に検知されたＺ軸方向に対する振動の強度が一定の強さ以上であると判断する場合（ステップＳ５における「Ｙｅｓ」）、照合部１１２は、電源供給部１０７にスリープ状態を解除させる（ステップＳ２０）。具体的には、照合部１１２が電源供給指示を電源供給部１０７へ出力すると、電源供給部１０７は、スリープ状態を解除し、センサ部１０１、照合処理部１０４、制御部１０５及びバイブレータ１０６に対して電源を供給する。なお、照合部１１２は、このステップＳ５及びそれ以降のステップのたたく動作を検知する処理において、前述の図６、図７を用いて説明したように、検知した動作が、前述の減衰率の条件を満たした場合に、検知した動作をたたく動作であると検出し、処理を進める。他方、検知した動作が、前述の減衰率の条件を満たしていない場合は、検知した動作はたたく動作ではないとして無効とする。
【００３３】
照合部１１２は、報知処理開始の指示受付後に受け付けた複数のたたく動作で示されるたたく動作のパターンと、パターン記憶部１０２で記憶されている基準パターンとの照合を行う（ステップＳ１５）。具体的には、照合部１１２は、センサ部１０１で検知された複数のたたく動作のパターンの間隔比を算出し、基準パターンと比較する。
照合部１１２は、照合結果を用いて、検出されたたたく動作のパターンと基準パターンとが一致するか否かを判断する（ステップＳ２０）。具体的には、照合部１１２は、検出されたたたく動作のパターンと基準パターンとの一致度合が所定以上であるか否かを判断する。
【００３４】
照合部１１２で一致すると判断、つまり一致度合が所定以上であると判断される場合（ステップＳ２０における「Ｙｅｓ」）、報知部１２２は、現在時刻を取得する（ステップＳ２５）。なお、このとき、照合制御部１２１では、スリープ状態が解除されている間は、照合部１１２に対して照合中止指示を継続的に出力している。
報知部１２２は、振動パターン記憶部１０３で記憶されている各振動パターンから、取得した現在時刻に応じた報知振動パターンを生成し、生成した報知振動パターンに基づいてバイブレータ１０６を振動させる（ステップＳ３０）。
【００３５】
１．４  具体例
ここでは、たたく動作のパターンの入力から現在時刻の報知までの動作について具体例を用いて説明する。
図５は、たたく動作のパターンの入力から現在時刻の報知までの動作に係るタイムチャートである。
【００３６】
携帯電話機１は、時間ｔ１において、センサ部１０１を用いて、たたく動作のパターン（間隔比が２：２：１：１：１：１）の入力を受け付ける。
携帯電話機１は、時間ｔ２において、照合部１１２及びパターン記憶部１０２を用いて、検出されたたたく動作のパターンとパターン記憶部１０２に記憶されている基準パターンとの比較を行い、一致すると判断する場合には、報知指示を制御部１０５の報知部１２２へ出力する。
【００３７】
携帯電話機１は、時間ｔ３において、報知部１２２、バイブレータ１０６及び振動パターン記憶部１０３を用いて、現在時刻に応じた報知振動パターンに基づいた振動を行う。
１．５  変形例
以上、実施の形態に基づいて説明したが、本発明は上記の実施の形態に限られない。例えば、以下のような変形例が考えられる。
【００３８】
（１）上記実施の形態において、携帯電話機１がユーザから報知処理開始の指示を受け付ける際、スリープ状態であることを条件としたが、これに限定されない。
指示を受け付ける条件として、スリープ状態であることに、携帯電話機１が一定時間以上、安定状態であること、着信などの割込が一定時間以上発生していない状態であること、及びこれらの組み合わせた状態であることを加えてもよい。
【００３９】
（２）上記実施の形態において、照合部１１２は、検出したたたく動作のパターンの時間長（たたく動作のパターンを構成するたたく動作の間隔それぞれの時間長の合計時間）を、パターン記憶部１０２で記憶されている基準パターンの時間長（つまり基準たたく動作のパターンを構成するたたく動作の間隔それぞれの時間長の合計時間）と一致するよう、検出したたたく動作のパターンの時間長を圧縮又は伸長し、圧縮又は伸長した後のたたく動作のパターンと基準パターンとの照合を行ってもよい。
【００４０】
具体的には、照合部１１２は、検出したたたく動作のパターンの時間長が、基準パターンの時間長の何倍に当たるかを計算する。照合部１１２は、たたく動作の間隔それぞれの時間長を、計算した値で除算し、除算結果を合計する。これにより、検出したたたく動作のパターンの時間長を、基準パターンの時間長と一致させることができる。
（３）上記実施の形態では、照合部１１２は、低電力プロセッサに組み込まれているとしたが、これに限定されない。
【００４１】
照合部１１２のうちたたく動作のパターンを検出する機能を別回路（たたく動作のパターン検出回路）にしてもよい。
この場合、たたく動作のパターン検出回路は、たたく動作のパターンを検出すると、たたく動作の照合を行う低電力プロセッサに対して照合処理を行うよう割込信号を出力する。
【００４２】
（４）上記実施の形態では、たたく動作は、携帯電話機１の裏面から行うことしたが、これに限定されない。
たたく動作は、表示部４を有する面に対するものであってもよいし、Ｘ軸方向又はＹ軸方向に対するものであってもよい。
（５）上記実施の形態では、報知する内容は現在時刻としたが、これに限定されない。
【００４３】
報知する内容は、日付、曜日、天気又は未読のメール数であってもよい。
また、報知する内容は、現在時刻の分のみであってもよい。
または、報知する代わりに、キーロックの解除を行うとしてもよい。
また、現在時刻を報知する場合において、時を示す振動パターンを、偶数時と奇数時とに区別したが、分と同様に、０〜９の振動パターンを組み合わせて“時”を表すようにしてもよい。
【００４４】
また、未読のメール数を報知する場合には、照合後に、外部のメールサーバ等に問い合わせて、未読メール数を取得し、報知してもよい。
天気を報知する場合には、照合後に、現在位置を外部のサーバ等に送信するとともに、現在位置の天気を問い合わせて、取得した天気の情報を数値化、例えば“晴れ”を値“０”に、“曇り”を値”１“に、”雨“を値”２“等に変換して、報知してもよい。
【００４５】
（６）上記実施の形態において、照合部１１２は、スリープ状態である場合に、センサ部１０１で最初に検知された裏面からのたたく動作のＺ軸方向の成分が所定値以上である場合に、スリープ状態を解除したが、これに限定されない。
照合部１１２は、スリープ状態である場合において、所定数のたたく動作であって、各たたく動作の強度が所定強度以上であるときに、スリープ状態を解除してもよい。
【００４６】
（７）上記実施の形態において、基準たたく動作のパターン及び検知するたたく動作のパターンとして、リズムのパターンを用いたが、これは一例であり、例えば、基準パターン及び検知するたたく動作のパターンとして、たたく動作の回数であってもよい。
この場合、照合部１１２では、スリープ状態解除後に受け付けたたたく動作の数と、パターン記憶部１０２で記憶されているたたく動作の数との照合を行い、完全一致する場合に、報知指示を制御部１０５へ出力する。完全一致しない場合には、照合部１１２は、スリープ状態に移行する旨の移行指示を電源供給部１０７へ出力する。
【００４７】
（８）上記実施の形態では、携帯端末１は、一例として携帯電話機であるとしたが、これに限定されない。
本発明の携帯端末は、ＰＤＡ（Ｐｅｒｓｏｎａｌ  Ｄｉｇｉｔａｌ  Ａｓｓｉｓｔａｎｔ）、ＰＨＳ（Ｐｅｒｓｏｎａｌ  Ｈａｎｄｙ−ｐｈｏｎｅ  Ｓｙｓｔｅｍ）、音楽プレーヤ、電子ブック、ゲーム機、パーソナルコンピュータ等であってもよい。
【００４８】
（９）上記の実施の形態及び変形例で説明した手法の手順を記述したプログラムをメモリに記憶しておき、ＣＰＵなどがメモリからプログラムを読み出して、読み出したプログラムを実行することによって、上記の手法が実現されるようにしてもよい。
また、当該手法の手順を記述したプログラムを記録媒体に格納して、頒布するようにしてもよい。なお、上記プログラムを記憶する媒体としては、例えば、フラッシュメモリ、ＵＳＢメモリ及びＳＤカード（登録商標）などを一例として挙げることができる。
【００４９】
（１０）また、上記実施形態では、照合部１１２は減衰率を算出するため、閾値Ｚａ以上のたたく動作を検知した後、次の最初のプラス方向のピークが、Ｚａ×０．４以下であり、かつ、減衰時間ΔＴ＝０．３秒の際のＺ方向振動の絶対値が、Ｚａ×０．１以下である、という減衰率の条件を満たした場合に、検知した動作をたたく動作であると検出するとしたがこのような場合に限定されるものではなく、次の最初のプラス方向のピークが、Ｚａ×０．４以外の、例えばＺａの０．３倍など適宜な数値であってもよいし、減衰時間としても、ΔＴ＝０．３秒以外の、例えばΔＴ＝０．２秒などの適宜な値であってもよいし、減衰時間ΔＴの際のＺ方向振動の絶対値も、Ｚａ×０．１以外の、Ｚａ×０．２など適宜な値であってもよい。
【００５０】
（１１）上記実施の形態及び変形例を組み合わせるとしてもよい。
１．６  補足
（１）本発明の一態様である、携帯端末は、たたく動作を検知する検知部と、複数のたたく動作間隔として基準となるたたく動作パターンである基準パターンを予め記憶している記憶部と、前記検知部で検知されたたたく動作のパターンと、前記記憶部で記憶している基準パターンとを照合する照合部と、前記照合部の照合結果により前記検知されたたたく動作のパターンと前記記憶部で記憶している基準パターンとの一致度合が所定以上である場合に、内部に保持している情報をユーザに通知する報知処理部とを備えることを特徴とする。
【００５１】
この構成によると、携帯端末は、たたく動作により報知情報を報知するので、特定のボタンを用いることなく簡易な操作によりユーザに対して、当該携帯端末の内部で保持している情報を報知することができる。
（２）ここで、前記照合部は、前記検知部で所定以上の強度のたたく動作が検知された後、前記照合を開始するとしてもよい。
【００５２】
この構成によると、携帯端末は所定以上の強度のたたく動作が検知された後に照合を行うので、ユーザが無意識に携帯端末に触れた場合などをたたく動作と検知して報知を行うといった誤動作を防ぐことができる。
（３）ここで、前記記憶部で記憶している基準パターンは、複数のたたく動作間隔の比をとった間隔比情報であり、前記照合部は、前記間隔比情報と、前記検知部で検知されたたたく動作のパターンにおけるたたく動作の間隔比とを照合するとしてもよい。
【００５３】
この構成によると、携帯端末は、間隔比情報と、前記検知部で検知されたたたく動作のパターンにおける複数のたたく動作間隔の比とを用いて報知の可否を判断する。つまり、携帯端末は、たたく動作の間隔比により、ユーザが報知を所望しているか否かを判別することができる。
（４）ここで、前記照合部は、前記照合に先立って、前記検知部で検知された前記たたく動作の間隔の合計時間である第１時間長が前記間隔比情報で定まる全ての間隔についての合計時間である第２時間長と同一となるよう、前記検知部で検知された前記たたく動作の間隔それぞれの時間長を圧縮又は伸長するとしてもよい。
【００５４】
この構成によると、携帯端末は、第１時間長と第２時間長とが同じ比率となるよう検知した前記たたく動作の間隔それぞれの時間長を圧縮又は伸長して照合を行うので、より正確な一致度合を得ることができる。
（５）ここで、携帯端末本体の主表面にディスプレイを有しており、前記検知部は、前記主表面の反対面である裏面におけるたたく動作を検知するとしてもよい。
【００５５】
この構成によると、携帯端末は、ディスプレイを有する主表面の反対面である裏面におけるたたく動作を、照合に用いるたたく動作として検知するので、たたく動作によるディスプレイの破損を防ぐことができる。
（６）ここで、前記検知部は、加速度センサであり、当該加速度センサは、前記ディスプレイに対する垂直方向の振動を、前記たたく動作として検知するとしてもよい。
【００５６】
この構成によると、携帯端末は、加速度センサを用いて、たたく動作を検知することができる。
（７）ここで、前記内部に保持している情報とは、現在時刻を時分で表した時刻情報であり、前記報知処理部は、前記時刻情報についての報知を行うとしてもよい。
この構成によると、携帯端末は、現在時刻をユーザに報知することができる。
【００５７】
（８）ここで、前記時刻情報で表される時分のうち時についての報知には、第１報知パターンと第２報知パターンとがあり、前記報知処理部は、前記時刻情報で表される時が偶数時である場合には前記第１報知パターンで、奇数時である場合には前記第２報知パターンで、それぞれ報知するとしてもよい。
この構成によると、携帯端末は、第１報知パターン及び第２報知パターンを用いて、偶数時と奇数時とで報知するパターンを区別しているので、時刻のうち時については簡易なパターンで報知することができる。
【００５８】
（９）ここで、前記内部に保持している情報とは、現在時刻の時分のうちの分を表した時刻情報であり、前記報知処理部は、前記時刻情報の報知を行うとしてもよい。
この構成によると、携帯端末は、現在時刻のうち分のみを報知するので、ユーザが大まかな時間（例えば、５時台、８時台）を知っている場合には、報知する情報（現在時刻のうち分）を最小限とすることができる。
【００５９】
（１０）また、本発明の一態様である、携帯端末は、たたく動作を検知する検知部と、内部に保持している保持情報をユーザに通知するか否かの判断基準となる、たたく動作数を予め記憶している記憶部と、前記検知部で検知されたたたく動作の数と、前記記憶部で記憶されているたたく動作数とを照合する照合部と、前記照合部の照合結果により前記検知されたたたく動作の数と前記記憶部で記憶しているたたく動作数とが一致する場合に、前記保持情報をユーザに通知する報知処理部とを備えることを特徴とする。
【００６０】
この構成によると、携帯端末は、記憶部に記憶しているたたく動作の数と、検知したたたく動作の数とを用いて報知の可否を判断することができる。
【産業上の利用可能性】
【００６１】
本発明は、内部で保持している情報をユーザに対して報知する携帯端末に有効である。
【符号の説明】
【００６２】
１    携帯電話機（携帯端末）
４    表示部
５    キー操作部
６    スピーカ部
７    マイクロフォン
１０１    センサ部
１０２    パターン記憶部
１０３    振動パターン記憶部
１０４    照合処理部
１０５    制御部
１０６    バイブレータ
１０７    電源供給部
１１１    フィルタ部
１１２    照合部
１２１    照合制御部
１２２    報知部
【図１】
2014048701.tif 000003
【図２】
2014048701.tif 000004
【図３】
2014048701.tif 000005
【図４】
2014048701.tif 000006
【図５】
2014048701.tif 000007
【図６】
2014048701.tif 000008
【図７】
2014048701.tif 000009